(57)【特許請求の範囲】
【請求項１】
プラグ本体とプラグフレームとを備え、プラグ本体は、後端に突縁部を形成したフェルール内部に光ファイバ心線を、その先端がフェルール正面に光学的接触面として露出し、後端がフェルール後方へ突出するようにして埋設して構成され、プラグフレームは、上記フェルールの突縁部が前後方向へ移動可能にして、且つ前端縁に係止可能に嵌合する窓孔を開設した２枚一対の支持板、２枚一対の係合板と中央部に上記光ファイバ心線挿通用の凹溝が形成されたスプリング受けブロック及びスプリングとを構成部材としており、２枚の支持板をプラグ本体のフェルールの上下両面に、その突縁部が支持板の窓孔内に嵌合すると共に、フェルールの両側面に配設される２枚の係合板と、フェルール後方の光ファイバ心線が挿通されるよう凹溝を配置したスプリング受けブロックとを前後端に介在させて挾着固定し、さらにプラグ本体のフェルール突縁部の背面とスプリング受けブロックとの間にスプリングを介装してプラグ本体を常時先方へ押圧付勢させ、フェルール突縁部と窓孔の前端縁を互いに係止させてなることを特徴とする光コネクタプラグ。
【発明の詳細な説明】
【０００１】
【発明の属する技術分野】
本発明は、光コネクタプラグに関する。
【０００２】
【従来の技術】
今後の光加入者線路網の普及拡大に伴い、建物内に設置される当該線路網の終端設備は小型で高密度であることが要求される。この要求に応えるため、近年、コネクタハウジングに挿入するのみで嵌合可能なプラグイン型構造の光コネクタプラグが市販されている。
【０００３】
この光コネクタプラグは、外形が略薄形四角柱状に形成されたフェルールを備え、該フェルールの内部中央にテープ状の光ファイバ心線を、その先端がフェルール正面に光学的接触面として露出し、後端がフェルールの後方へ延長突出するように埋設したプラグ本体にて構成される。
【０００４】
使用に際しては、フェルール正面の両端に穿設された小孔に、ガイドピンを嵌合しつゝ互いの光学的接触面を突き合せることにより、光コネクタプラグ同志あるいはコネクタハウジングと光コネクタプラグとを相互に接続する。
【０００５】
【発明が解決しようとする課題】
しかしながら、上記した従来の光コネクタプラグは、フェルール正面の光学的接触面を単に突き合せるだけで相互に接続するものであるから、通常使用時には、だいたい０．２ｄＢ程度の低損失の接続が可能であるものゝ、接続の安定性に欠けるため、とかく機械特性（引張り、曲げ、着脱ばらつき）や初期特性（接続損失）等で問題が起り易く、より高性能な光コネクタプラグの出現が望まれている。
【０００６】
【目的】
本発明は、上記した従来の技術の有するこのような問題点に鑑みなされたもので、フェルールと光ファイバ心線のみからなるプラグ本体（既成品）に対し、容易に組み立て及び分解・交換可能なプラグフレームを、前記プラグ本体が常時前方へ付勢するように外装して構成することにより、接続状態が常時安定し、機械特性や初期特性等に問題の起ることの少ない、高性能な光コネクタプラグを提供することを目的とする。
【０００７】
【課題を解決するための手段】
上記目的を達成するために、本発明に係る光コネクタプラグは、プラグ本体とプラグフレームとを備え、プラグ本体は、後端に突縁部を形成したフェルール内部に光ファイバ心線を、その先端がフェルール正面に光学的接触面として露出し、後端がフェルール後方へ突出するようにして埋設して構成され、プラグフレームは、上記フェルールの突縁部が前後方向へ移動可能にして、且つ前端縁に係止可能に嵌合する窓孔を開設した２枚一対の支持板、２枚一対の係合板と中央部に上記光ファイバ心線挿通用の凹溝が形成されたスプリング受けブロック及びスプリングとを構成部材としており、２枚の支持板をプラグ本体のフェルールの上下両面に、その突縁部が支持板の窓孔内に嵌合すると共に、フェルールの両側面に配設される２枚の係合板と、フェルール後方の光ファイバ心線が挿通されるよう凹溝を配置したスプリング受けブロックとを前後端に介在させて挾着固定し、さらにプラグ本体のフェルール突縁部の背面とスプリング受けブロックとの間にスプリングを介装してプラグ本体を常時先方へ押圧付勢させ、フェルール突縁部と窓孔の前端縁を互いに係止させてなることを特徴とする。
【０００８】
【発明の実施の形態】
以下、本発明の実施の形態について図面を参照して説明する。
図１は本発明の分解斜視図であり、図２は本発明の正面図であり、図３は本発明の平面図であり、図４は本発明の側面図である。
【０００９】
同上各図において、１はプラグ本体、２はプラグ本体１へ外装したプラグフレームを各示す。
プラグ本体１は、外形が略四角形板状のフェルール３を主要部材として構成され、そのフェルール３の内部中央にはテープ状の光ファイバ心線４を、その先端がフェルール正面に光コネクタ（後述する）との光学的接触面４ａとして露出し、後端がフェルール３の後方へ突出するようにして埋設させてある。
【００１０】
また、フェルール３の正面には、上記光学的接触面４ａの両側に位置して光コネクタ用のガイドピン５、５が突設させてあり、他方、フェルール３の後端には、上記プラグフレーム２との係止用の突縁部６と上記光ファイバ心線４の被覆部７が順次連設させてあると共に、被覆部７の両側には、スプリング（後述する）支持用の突起８、８が各突設させてある。
【００１１】
プラグフレーム２は、２枚一対の金属製の支持板９、９と、２枚一対の合成樹脂製の係合板１０、１０と、１個の合成樹脂製のスプリング受けブロック１１と、２個のコイルスプリング１２、１２、ボルト１３、１３及び１枚の板ナット１４を主要部材として構成されている。
【００１２】
上記支持板９、９は、略同形、同大の長方形状に形成され、中央よりやゝ前方に、上記プラグ本体１におけるフェルール３後端の突縁部６が、前後方向へ移動可能にして、且つ前端縁１５ａ、１５ａに係止可能に嵌合するよう矩形状の窓孔１５、１５を各開設させてある。
【００１３】
また、上記支持板９、９の先端両側には、角型の切欠き１６、１６が各形成されると共に、後端両側にはボルト孔１７、１７が各穿設してある。
【００１４】
上記係合板１０、１０はその上下両端の中央部に、支持板９、９の切欠き１６、１６へ係嵌可能な角型の係合突起１８、１８が各対象に突設させてある。
【００１５】
上記スプリング受けブロック１１は、その上端面形状が支持板９、９の後端部と同形、同大の略四角形状に形成され、中央部下面に支持板９、９の長手方向に沿って光ファイバ心線４挿通用の凹溝１９が形成してあり、ブロック後端の凹溝１９の両側上下には、支持板９、９のボルト孔１７、１７と対応するようにボルト孔２０、２０が各穿設してある。他方、板ナット１４の両側には、上記各ボルト孔１７、２０と対応するように螺子孔２１、２１が各穿設してある。
【００１６】
上記した構成において、プラグＡは次のようにして組み立てられる。
先ず、支持板９、９をフェルール３の上下両側面に、その突縁部６が支持板９、９の窓１５、１５内へ嵌合するようにして挾持する。このとき、係合板１０、１０を支持板９、９の切欠き１６、１６内へ係合させることで介在させると共に、スプリング受けブロック１１をそのボルド孔２０、２０が支持板９、９のボルト孔１７、１７と合致するようにして介在させ、且つコイルスプリング１２、１２を、その先端をフェルール３の突縁部６後面に突設した突起８、８へ外装し、後端をスプリング受けブロック１１の前面両側壁面へ当接することによりフェルール３とスプリング受けブロック１１の間に介在させる。
【００１７】
そして、ボルト１３、１３を、２枚の支持板９、９のボルト孔１７、１７及びスプリング受けブロック１１のボルト孔２０、２０に挿通させ、その先端を板ナット１４の螺子孔２１、２１へ螺合することにより、支持板９、９が係合板１０、１０及びスプリング受けブロック１１を締付け固定し、斯くして、図２及び図３に示したように、プラグ本体１はプラグフレーム２内において常時前方へ押圧付勢され、フェルール３の突縁部６の先端側と支持板９、９の窓１５の先端縁１５ａとが互いに係止される。
【００１８】
次に、上記のようにして構成されるプラグＡの使用方法を図５乃至図８に基づいて説明する。
先ず、プラグＡが接続される光コネクタＢの構成について概略説示すると、以下のとおりである。
２個一対のケーシング２２、２２と、光レセプタクル部２４、電気回路部２５及び電気的接続部２６が上方から下方へ順次連設してなるコネクタ本体２３とを備え、該コネクタ本体２３をケーシング２２、２２に内蔵させ、ケーシング２２、２２の対向面に設けられた係合部材（図示しない）を嵌め合せることによって構成される。
【００１９】
上記光レセプタクル部２４は、ケーシング２２、２２の片側上方に、プラグＡの嵌合用凹部２７が開口されると共に、該凹部２７の底部に、プラグＡの光接続用のフェルール２８を埋設したレセプタクルブロック２９を配設することで構成される。
【００２０】
フェルール２８の上面は、プラグＡの光学的接触面４ａが当接し光接続される平坦な送・受光部２８ａに形成されると共に、その両側にプラグＡのガイドピン５、５の嵌挿用小孔３０、３０が穿設されている。
【００２１】
また、上記フェルール２８の両側には、プラグＡの嵌合時、先端の係合板１０、１０の後端縁１０ａ、１０ａに係止するよう、上端内面に、テーパ部３１、３１とその下端の水平部３２、３２とにより形成される係合突起３３、３３を各突設させた一対の弾性係止片３４、３４が対向するように植設してある。
【００２２】
上記電気回路部２５は、ケーシング２２、２２の略中央部において、プリント配線板３５と、該配線板３５へ実装された上記光レセプタクル部２４と接続する光・電気信号変換モジュール３６を配設することで構成される。
【００２３】
上記電気的接続部２６は、ケーシング２２、２２の下部において、プリント配線板３５に接続するコンタクト３７・・・を多数内蔵させた端子ブロック３８を配設することで構成される。
【００２４】
尚、図面において、３９はコネクタＢ抜去用のスライドバー、４０はスライドバー３９の引き起こし用回転摘みを各示す。
【００２５】
上記した構成において、プラグＡをコネクタＢへ接続するには、図５及び図６に示したように、プラグＡをコネクタＢの光レセプタクル部２４の上方に臨ませてからプラグＡのフェルール３を光レセプタクル部２４の嵌合用凹部２７内へ嵌合する。そして、フェルール３先端のガイドピン５、５を、凹部２７底部に位置するフェルール２８の嵌挿用小孔３０、３０内へ、フェルール３前端の光学的接触面４ａがフェルール２８上面の送・受光部２８ａへ押圧接触するまで挿入する。
【００２６】
このプラグＡの挿入の途中において、プラグフレーム２の係合板１０、１０が弾性係止片３４、３４のテーパ部３１、３１を摺動して降下するに伴って徐々に両係止片３４、３４を押し拡く。さらにプラグＡを挿入すると、フェルール３が、他方のフェルール２８に押圧接触してコイルスプリング１２のバネ力に抗してプラグフレーム２内を上方へ若干スライドして、フェルール３の突縁部６が支持板９、９の窓孔１５、１５を前方より後方へ移動するため、係合板１０、１０の後端縁１０ａに対してフェルール３の突縁部６も後方へ離れる。その結果、係合板１０、１０が弾性係止片３４、３４の係合突起３３、３３を乗り越えたのち、当該係止片３４、３４が弾性復帰して閉じたとき、係合板１０、１０の後端縁１０ａ、１０ａへ係合突起３３、３３下側の水平部３２、３２が各係止される。
【００２７】
斯くして、プラグＡは、コネクタＢの光レセプタクル部２４へ光接続されると同時に、弾性係止片３４、３４の係止力により抜けが防止される。尚、プラグＡをコネクタＢから抜くには、専用工具（図示しない）を使って係止片３４、３４を押し拡げることによって行なうものである。
【００２８】
【発明の効果】
以上のように、本発明に係る光コネクタプラグは、後端に突縁部６を形成したフェルール３と、該フェルール３正面に、先端を光学的接触面４ａとして露出させた光ファイバ心線４のみからなるプラグ本体１に対して、支持板９、９、係合板１０、１０、スプリング受けブロック１１及びスプリング１２、１２を構成部品として組み立て、締着材にて固定したプラグフレーム２を、前記プラグ本体１がスプリング１２、１２にて常時前方へ付勢するように外装してなるものであり、接続対象である光レセプタクルに設けられた弾性係止片にて上記フェルール３の突縁部６が係止され、当該フェルール３の光学的接触面４ａが光レセプタクルの送、受口部へ弾圧状態で接続されるため、常時低損失の接続が可能であり、また、機械特性（引張り、曲げ、着脱ばらつき）についても良好な結果が得られた。さらには、既成品のプラグ本体１を利用してそのプラグ本体１にプラグフレームを外装するだけで構成され、当該プラグフレーム２は簡単に組み立てられるものであるから、必要に応じて簡単、迅速に分解・交換することが可能であり、且つ低コストで製造できるものである。
【図面の簡単な説明】
【図１】本発明の分解斜視図である。
【図２】本発明の正面図である。
【図３】本発明の側面図である。
【図４】本発明の底面図である。
【図５】本発明の使用状態を示す接続前の一部切欠正面図である。
【図６】同上の縦断側面図である。
【図７】本発明の使用状態を示す接続時の一部切欠正面図である。
【図８】同上の縦断側面図である。
【符号の説明】
１  プラグ本体
２  プラグフレーム
３  フェルール
４  光ファイバ心線
４ａ  光学的接触面
６  突縁部
９  支持板
１０  係合板
１１  スプリング受けブロック
１２  スプリング
１５  窓孔
１５ａ  前端縁
【図１】
0003792887.tif 000002
【図２】
0003792887.tif 000003
【図３】
0003792887.tif 000004
【図４】
0003792887.tif 000005
【図５】
0003792887.tif 000006
【図６】
0003792887.tif 000007
【図７】
0003792887.tif 000008
【図８】
0003792887.tif 000009